【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
印刷データを特定するための印刷データ識別情報と、該印刷データの印刷ができるユーザのユーザ識別情報とを記憶する印刷データ記憶装置と通信可能な、画像処理装置であって、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
ユーザが前記一覧情報取得手段により取得された印刷データ一覧情報に含まれる印刷データ識別情報の内容を識別できないように、前記印刷データ一覧情報を表示する表示手段とを備え、
前記表示手段は、前記印刷データ識別情報の内容を識別できないように前記印刷データ一覧情報を表示している状態で、前記認証情報受付手段により受け付けた認証情報を再度受け付けた場合に、ユーザが前記印刷データ識別情報の内容を識別できるように前記印刷データ識別情報を表示することを特徴とする画像処理装置。
【請求項２】
前記表示手段は、印刷データ一覧情報を表示して印刷指示する機能と異なる機能から印刷データ一覧情報を表示して印刷指示する機能へ遷移し、印刷データ一覧情報を表示する場合に、ユーザが前記印刷データ識別情報の内容を識別できないように表示することを特徴とする請求項１に記載の画像処理装置。
【請求項３】
前記表示手段は、所定時間操作がない場合に、ユーザが前記印刷データ識別情報の内容を識別できないように表示することを特徴とする請求項１または２に記載の画像処理装置。
【請求項４】
前記表示手段により表示した印刷データの一覧から指定された印刷データの印刷出力指示を前記印刷データ記憶装置に送信する印刷出力指示手段を更に備え、
前記表示手段は、前記印刷出力指示手段により印刷出力指示がされる場合に、前記認証情報の入力を促す表示をすることを特徴とする請求項１乃至３のいずれか１項に記載の画像処理装置。
【請求項５】
前記印刷データ一覧情報は、再度の認証情報が必要である印刷データか否かを示す要否情報を含み、
ユーザによって指定された印刷データが、再度の認証情報が必要である印刷データである場合に、ログインしたユーザに対して再度の認証情報を要求する再要求手段を更に備え、
前記印刷出力指示手段は、ユーザによって指定された印刷データが、再度の認証情報が必要でない印刷データである場合、および、前記再要求手段に従って、再度の認証情報を受け付けた場合に、前記指定された印刷データの印刷出力指示を前記印刷データ記憶装置に送信することを特徴とする請求項４に記載の画像処理装置。
【請求項６】
前記表示手段は、再度の認証情報が必要である印刷データの一覧を表示する第１の表示タブと、再度の認証情報が必要でない印刷データの一覧を表示する第２の表示タブを表示し、
前記認証情報受付手段は、前記第２の表示タブから前記第１の表示タブに切り換えられた場合に、再度の認証情報を受け付けることを特徴とする請求項１乃至５のいずれか１項に記載の画像処理装置。
【請求項７】
前記印刷データ記憶装置は、画像処理装置と別筐体であることを特徴とする請求項１乃至６のいずれか１項に記載の画像処理装置。
【請求項８】
印刷データを特定するための印刷データ識別情報と、該印刷データの印刷ができるユーザのユーザ識別情報とを記憶する印刷データ記憶装置と、画像処理装置とを含む印刷システムであって、
前記印刷データ記憶装置は、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段を備え、
前記画像処理装置は、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
ユーザが前記一覧情報取得手段により取得された印刷データ一覧情報に含まれる印刷データ識別情報の内容を識別できないように、前記印刷データ一覧情報を表示する表示手段とを備え、
前記表示手段は、前記印刷データ識別情報の内容を識別できないように前記印刷データ一覧情報を表示している状態で、前記認証情報受付手段により受け付けた認証情報を再度受け付けた場合に、ユーザが前記印刷データ識別情報の内容を識別できるように前記印刷データ識別情報を表示することを特徴とする印刷システム。
【請求項９】
印刷データを特定するための印刷データ識別情報と、該印刷データの印刷ができるユーザのユーザ識別情報とを記憶する印刷データ記憶装置と通信可能な、画像処理装置における制御方法であって、
前記画像処理装置が、
ユーザを特定するための認証情報を受け付ける認証情報受付ステップと、
前記認証情報受付ステップで受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、
ユーザが前記一覧情報取得ステップで取得された印刷データ一覧情報に含まれる印刷データ識別情報の内容を識別できないように、前記印刷データ一覧情報を表示する表示ステップとを実行し、
前記表示ステップは、前記印刷データ識別情報の内容を識別できないように前記印刷データ一覧情報を表示している状態で、前記認証情報受付ステップで受け付けた認証情報を再度受け付けた場合に、ユーザが前記印刷データ識別情報の内容を識別できるように前記印刷データ識別情報を表示することを特徴とする制御方法。
【請求項１０】
印刷データを特定するための印刷データ識別情報と、該印刷データの印刷ができるユーザのユーザ識別情報とを記憶する印刷データ記憶装置と、画像処理装置とを含む印刷システムにおける制御方法であって、
前記印刷データ記憶装置が、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信ステップを実行し、
前記画像処理装置が、
ユーザを特定するための認証情報を受け付ける認証情報受付ステップと、
前記認証情報受付ステップにより受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、
ユーザが前記一覧情報取得ステップにより取得された印刷データ一覧情報に含まれる印刷データ識別情報の内容を識別できないように、前記印刷データ一覧情報を表示する表示ステップとを実行し、
前記表示ステップは、前記印刷データ識別情報の内容を識別できないように前記印刷データ一覧情報を表示している状態で、前記認証情報受付ステップで受け付けた認証情報を再度受け付けた場合に、ユーザが前記印刷データ識別情報の内容を識別できるように前記印刷データ識別情報を表示することを特徴とする制御方法。
【請求項１１】
印刷データを特定するための印刷データ識別情報と、該印刷データの印刷ができるユーザのユーザ識別情報とを記憶する印刷データ記憶装置と通信可能な、画像処理装置で実行可能なプログラムあって、
前記画像処理装置を、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
ユーザが前記一覧情報取得手段により取得された印刷データ一覧情報に含まれる印刷データ識別情報の内容を識別できないように、前記印刷データ一覧情報を表示する表示手段として機能させ、
前記表示手段は、前記印刷データ識別情報の内容を識別できないように前記印刷データ一覧情報を表示している状態で、前記認証情報受付手段により受け付けた認証情報を再度受け付けた場合に、ユーザが前記印刷データ識別情報の内容を識別できるように前記印刷データ識別情報を表示することを特徴とするプログラム。
【請求項１２】
印刷データを特定するための印刷データ識別情報と、該印刷データの印刷ができるユーザのユーザ識別情報とを記憶する印刷データ記憶装置と、画像処理装置とを含む印刷システムで実行可能なプログラムであって、
前記印刷データ記憶装置を、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段として機能させ、
前記画像処理装置を、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
ユーザが前記一覧情報取得手段により取得された印刷データ一覧情報に含まれる印刷データ識別情報の内容を識別できないように、前記印刷データ一覧情報を表示する表示手段として機能させ、
前記表示手段は、前記印刷データ識別情報の内容を識別できないように前記印刷データ一覧情報を表示している状態で、前記認証情報受付手段により受け付けた認証情報を再度受け付けた場合に、ユーザが前記印刷データ識別情報の内容を識別できるように前記印刷データ識別情報を表示することを特徴とするプログラム。
【手続補正２】
【補正対象書類名】明細書
【補正対象項目名】０００８
【補正方法】変更
【補正の内容】
【０００８】
本発明の目的は、印刷データにかかる印刷データ識別情報の内容の表示を制御することで、機密情報の漏えいのリスクを軽減する仕組みを提供することである。
【手続補正３】
【補正対象書類名】明細書
【補正対象項目名】０００９
【補正方法】変更
【補正の内容】
【０００９】
本発明の目的を達成するために、印刷データを特定するための印刷データ識別情報と、該印刷データの印刷ができるユーザのユーザ識別情報とを記憶する印刷データ記憶装置と通信可能な、画像処理装置であって、ユーザを特定するための認証情報を受け付ける認証情報受付手段と、前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、ユーザが前記一覧情報取得手段により取得された印刷データ一覧情報に含まれる印刷データ識別情報の内容を識別できないように、前記印刷データ一覧情報を表示する表示手段とを備え、前記表示手段は、前記印刷データ識別情報の内容を識別できないように前記印刷データ一覧情報を表示している状態で、前記認証情報受付手段により受け付けた認証情報を再度受け付けた場合に、ユーザが前記印刷データ識別情報の内容を識別できるように前記印刷データ識別情報を表示することを特徴とする。
【手続補正４】
【補正対象書類名】明細書
【補正対象項目名】００１０
【補正方法】変更
【補正の内容】
【００１０】
また、前記表示手段は、印刷データ一覧情報を表示して印刷指示する機能と異なる機能から印刷データ一覧情報を表示して印刷指示する機能へ遷移し、印刷データ一覧情報を表示する場合に、ユーザが前記印刷データ識別情報の内容を識別できないように表示することを特徴とする。
【手続補正５】
【補正対象書類名】明細書
【補正対象項目名】００１１
【補正方法】変更
【補正の内容】
【００１１】
また、前記表示手段は、所定時間操作がない場合に、ユーザが前記印刷データ識別情報の内容を識別できないように表示することを特徴とする。
【手続補正６】
【補正対象書類名】明細書
【補正対象項目名】００１２
【補正方法】変更
【補正の内容】
【００１２】
また、前記表示手段により表示した印刷データの一覧から指定された印刷データの印刷出力指示を前記印刷データ記憶装置に送信する印刷出力指示手段を更に備え、前記表示手段は、前記印刷出力指示手段により印刷出力指示がされる場合に、前記認証情報の入力を促す表示をすることを特徴とする。
【手続補正７】
【補正対象書類名】明細書
【補正対象項目名】００１３
【補正方法】変更
【補正の内容】
【００１３】
また、前記印刷データ一覧情報は、再度の認証情報が必要である印刷データか否かを示す要否情報を含み、ユーザによって指定された印刷データが、再度の認証情報が必要である印刷データである場合に、ログインしたユーザに対して再度の認証情報を要求する再要求手段を更に備え、前記印刷出力指示手段は、ユーザによって指定された印刷データが、再度の認証情報が必要でない印刷データである場合、および、前記再要求手段に従って、再度の認証情報を受け付けた場合に、前記指定された印刷データの印刷出力指示を前記印刷データ記憶装置に送信することを特徴とする。
【手続補正８】
【補正対象書類名】明細書
【補正対象項目名】００１４
【補正方法】変更
【補正の内容】
【００１４】
また、前記表示手段は、再度の認証情報が必要である印刷データの一覧を表示する第１の表示タブと、再度の認証情報が必要でない印刷データの一覧を表示する第２の表示タブを表示し、前記認証情報受付手段は、前記第２の表示タブから前記第１の表示タブに切り換えられた場合に、再度の認証情報を受け付けることを特徴とする。
【手続補正９】
【補正対象書類名】明細書
【補正対象項目名】００１５
【補正方法】変更
【補正の内容】
【００１５】
また、前記印刷データ記憶装置は、画像処理装置と別筐体であることを特徴とする。
【手続補正１０】
【補正対象書類名】明細書
【補正対象項目名】００１６
【補正方法】変更
【補正の内容】
【００１６】
本発明によれば、印刷データにかかる印刷データ識別情報の内容の表示を制御することで、機密情報の漏えいのリスクを軽減することができる。